(57)【要約】【課題】充分な量のマスカラ液を保持でき、しかも、マスカラ液が塗布されたまつ毛を速やかに梳き整えて、まつ毛の化粧をより少ない手間で行えるマスカラ塗布具を提供する。【解決手段】塗布ヘッド３に塗布体１６とコーム体１７を設ける。塗布ヘッド３は、基端ヘッド部１１と、先端ヘッド部１２と、両ヘッド部１１・１２を繋ぐヘッド支柱部１３とを備えている。両ヘッド部１１・１２の間に設けた塗布区画１４に塗布体１６を配置する。塗布体１６は、塗布区画１４に配置される塗布軸体２０と、塗布軸体２０の周面に静電植毛法で固定されるパイル２１とで構成する。塗布体１６の上下両端を、基端ヘッド部１１と先端ヘッド部１２で回転自在に軸支する。塗布体１６の塗布軸体２０とヘッド支柱部１３との隣接部に、マスカラ液を保持するための液保持部２４を設ける。【選択図】図１
2015009016.tif 000002
【特許請求の範囲】
【請求項１】
塗布軸（１）の先端の塗布ヘッド（３）に、マスカラ液を塗布する塗布体（１６）と、マスカラ液が塗布されたまつ毛を梳き整えるコーム体（１７）とが設けてあるマスカラ塗布具であって、
塗布ヘッド（３）は、塗布軸（１）に連続する基端ヘッド部（１１）と、塗布ヘッド（３）の先端に設けられる先端ヘッド部（１２）と、両ヘッド部（１１・１２）を繋ぐヘッド支柱部（１３）とを備えていて、両ヘッド部（１１・１２）の間に設けた塗布区画（１４）に塗布体（１６）が配置してあり、
塗布体（１６）は、塗布区画（１４）に配置される塗布軸体（２０）と、塗布軸体（２０）の周面に静電植毛法で固定されるパイル（２１）とで構成されて、塗布体（１６）の上下両端が、基端ヘッド部（１１）と先端ヘッド部（１２）で回転自在に軸支されており、
塗布体（１６）の塗布軸体（２０）とヘッド支柱部（１３）との隣接部にマスカラ液を保持する液保持部（２４）が設けてあることを特徴とするマスカラ塗布具。
【請求項２】
塗布体（１６）の塗布軸体（２０）がヘッド支柱部（１３）と平行に設けられて、液保持部（２４）が塗布軸体（２０）の長手方向に沿って設けてある請求項１に記載のマスカラ塗布具。
【請求項３】
コーム体（１７）が、ヘッド支柱部（１３）と一体に形成した一群のコーム要素（２７）で構成されており、
塗布体（１６）およびコーム体（１７）が、基端ヘッド部（１１）と先端ヘッド部（１２）の対向面の外郭線内に配置してある請求項１または２に記載のマスカラ塗布具。
【請求項４】
基端ヘッド部（１１）と先端ヘッド部（１２）の対向面の中央同士をヘッド支柱部（１３）で繋いで、ヘッド支柱部（１３）の一側に塗布区画（１４）が形成され、他側にコーム区画（１５）が形成されており、
塗布区画（１４）に配置した塗布体（１６）と、コーム区画（１５）に配置したコーム体（１７）とが、ヘッド支柱部（１３）を介して背中合わせ状に設けてある請求項１から３のいずれかひとつに記載のマスカラ塗布具。
【請求項５】
コーム体（１７）が、一群のブリッスルからなるコーム要素（２７）を一方向へ捻られた芯線（３８）で螺旋状に固定して構成されており、
基端ヘッド部（１１）と先端ヘッド部（１２）とで芯線（３８）の上下端を支持して、コーム体（１７）がコーム区画（１５）に配置されており、
コーム区画（１５）の前後面および外側面の側において、コーム要素（２７）が基端ヘッド部（１１）と先端ヘッド部（１２）の対向面の外郭線より外方へ突出している請求項１、２および４のいずれかひとつに記載のマスカラ塗布具。
【請求項６】
塗布体（１６）が、丸軸状に形成した塗布軸体（２０）の周面にパイル（２１）を密植して構成されており、
塗布体（１６）と対向するヘッド支柱部（１３）の対向面に液保持部（２４）が部分円弧状に凹み形成してある請求項１から５のいずれかひとつに記載のマスカラ塗布具。
【発明の詳細な説明】
【技術分野】
【０００１】
本発明は、マスカラ液をまつ毛に塗布する塗布体と、まつ毛に塗布されたマスカラ液を梳き整えるコーム体を備えているマスカラ塗布具に関する。
【背景技術】
【０００２】
この種のマスカラ塗布具は、特許文献１に開示されている。そこでは、ブラシ棒の先端に塗布用ブラシ（塗布体）と整え用ブラシ（コーム体）を背中合わせ状に設けて、マスカラブラシを構成している。塗布用ブラシは、一方向へ捻られた芯線でブリッスルを螺旋状に固定して構成してあり、整え用ブラシと背中合わせになる側のブリッスルが除去してある。整え用ブラシは、上下両端のボス部と、ボス部同士を繋ぐコーム枠と、コーム枠の外面に突出する一群のコームとを一体に備えている。上下両端のボス部には、それぞれブラシ支持穴が形成してあり、これらのブラシ支持穴で、塗布用ブラシの芯線の上下を支持することにより、塗布用ブラシと整え用ブラシが背中合わせ状に一体化してある。コーム枠に設けた一群のコームは、コーム枠の長手方向に沿って直線列状に２列形成してある。なお、芯線の中心からブリッスルの先端までの半径と、芯線の中心からコームの先端までの半径とは等しく設定してある。
【０００３】
同様のマスカラブラシは、本出願人が先に提案している特許文献２にも開示されている。そこでは、プラスチック製のブラシ台と、ブラシ台に装着される螺旋状のブラシ（塗布体）と、ブラシ台の周面一側に固定されるコーム体とでマスカラブラシを構成している。ブラシ台には、ブラシの芯線の上下両端を支持する基端ボスと先端ボスが設けてあり、さらに、両ボス同士を橋絡するコーム枠と補強枠とが設けてある。ブラシの芯線に固定されたブリッスルは、コーム枠と補強枠の周面間に開口するブリッスル窓から露出している。コーム体は独立部品として形成してあり、ブラシ台に設けたコーム枠の外面に固定してある。
【０００４】
本発明のマスカラブラシにおいては、マスカラ液の塗布体の表面にパイルを電気植毛法で固定するが、この種のマスカラブラシは特許文献３に公知である。
【先行技術文献】
【特許文献】
【０００５】
【特許文献１】特開２００４−３２９９４６号公報（段落番号００２５〜００３５、図２）
【特許文献２】特開２００７−０５０１８３号公報（段落番号００３０〜００３５、図１）
【特許文献３】特開２０１０−１１０３６９号公報（段落番号００１２、図１）
【発明の概要】
【発明が解決しようとする課題】
【０００６】
特許文献１のマスカラブラシは、塗布用ブラシに付着したマスカラ液をまつ毛に塗布したのち、整え用ブラシで梳き整えることができるので、まつ毛の化粧を速やかに行うことができる。しかし、芯線の中心からブリッスルの先端までの距離と、芯線の中心からコームの先端までの半径が同じに設定してあるので、整え用ブラシでまつ毛を梳き整える際に、コームの近傍に位置する塗布用ブラシのブリッスルが邪魔になる。
【０００７】
その点、特許文献２のマスカラブラシは、コーム体の大半の部分がブリッスルの先端を通る仮想円より外方へ突出しているので、コーム体の近傍に位置するブリッスルに邪魔されることもなく、まつ毛をコーム体で的確に梳き整えることができる。しかし、ブラシをマスカラ容器から取出した状態では、ブリッスルに付着したマスカラ液の大半が、マスカラ容器の口部に設けたしごき体で除去されてしまうため、マスカラ液をまつ毛に対して効果的に塗布できない。マスカラ液が付着したブラシをしごき体でしごいた状態では、ブリッスルの中途部から先端に至る部分、つまりマスカラ液をまつ毛に塗布しやすい部分に付着していたマスカラ液の殆どが除去されて、塗布しやすい部分に充分な量のマスカラ液を保持できないからである。
【０００８】
しごき体で除去されなかったマスカラ液の殆どは、ブリッスルの基端部の側（芯線の周囲）に保持されているが、この部分に保持されたマスカラ液をまつ毛に塗布しようとしても、コーム枠および補強枠が邪魔になるため、保持されたマスカラ液を塗布することは難しい。また、コームの大半の部分がブリッスルの先端を通る仮想円より外方へ大きく突出しているので、マスカラブラシをマスカラ容器に出入れするとき、コームがしごき体に引っ掛かりやすく、マスカラブラシのマスカラ容器への出入れを円滑に行えない。
【０００９】
本発明の目的は、充分な量のマスカラ液を保持して的確にまつ毛に塗布でき、しかも、マスカラ液が塗布されたまつ毛を速やかに梳き整えて、まつ毛の化粧をより少ない手間で
使用者の意図どおりに行うことができるマスカラ塗布具を提供することにある。
本発明の目的は、塗布体によるマスカラ液の塗布と、コーム体による梳き整えとを円滑かつ的確に行うことができるマスカラ塗布具でありながら、マスカラ容器に対する出入れを円滑に行うことができる、使い勝手に優れたマスカラ塗布具を提供することにある。
【課題を解決するための手段】
【００１０】
本発明に係るマスカラ塗布具は、塗布軸１の先端の塗布ヘッド３に、マスカラ液を塗布する塗布体１６と、マスカラ液が塗布されたまつ毛を梳き整えるコーム体１７とが設けてある。塗布ヘッド３は、塗布軸１に連続する基端ヘッド部１１と、塗布ヘッド３の先端に設けられる先端ヘッド部１２と、両ヘッド部１１・１２を繋ぐヘッド支柱部１３とを備えている。両ヘッド部１１・１２の間に設けた塗布区画１４に塗布体１６を配置する。塗布体１６は、塗布区画１４に配置される塗布軸体２０と、塗布軸体２０の周面に静電植毛法で固定されるパイル２１とで構成されて、塗布体１６の上下両端が、基端ヘッド部１１と先端ヘッド部１２で回転自在に軸支してある。塗布体１６の塗布軸体２０とヘッド支柱部１３との隣接部にマスカラ液を保持する液保持部２４が設けてあることを特徴とする。
【００１１】
塗布体１６の塗布軸体２０をヘッド支柱部１３と平行に設けて、液保持部２４を塗布軸体２０の長手方向に沿って設ける。
【００１２】
コーム体１７は、ヘッド支柱部１３と一体に形成した一群のコーム要素２７で構成する。塗布体１６およびコーム体１７は、基端ヘッド部１１と先端ヘッド部１２の対向面の外郭線内に配置する。
【００１３】
基端ヘッド部１１と先端ヘッド部１２の対向面の中央同士をヘッド支柱部１３で繋いで、ヘッド支柱部１３の一側に塗布区画１４を形成し、他側にコーム区画１５を形成する。塗布区画１４に配置した塗布体１６と、コーム区画１５に配置したコーム体１７とを、ヘッド支柱部１３を介して背中合わせ状に設ける。
【００１４】
コーム体１７は、一群のブリッスルからなるコーム要素２７を一方向へ捻られた芯線３８で螺旋状に固定して構成する。基端ヘッド部１１と先端ヘッド部１２とで芯線３８の上下端を支持して、コーム体１７をコーム区画１５に配置する。コーム区画１５の前後面および外側面の側において、コーム要素２７を基端ヘッド部１１と先端ヘッド部１２の対向面の外郭線より外方へ突出させる。
【００１５】
塗布体１６は丸軸状に形成した塗布軸体２０の周面にパイル２１を密植して構成する。塗布体１６と対向するヘッド支柱部１３の対向面に液保持部２４を部分円弧状に凹み形成する。
【発明の効果】
【００１６】
本発明においては、塗布ヘッド３に基端ヘッド部１１と、先端ヘッド部１２と、ヘッド支柱部１３とを設けて、両ヘッド部１１・１２の間に設けた塗布区画１４に塗布体１６を配置した。また、塗布軸体２０とその周面に固定されるパイル２１とで塗布体１６を構成して、その上下両端を基端ヘッド部１１と先端ヘッド部１２で回転自在に軸支した。そのうえで、塗布軸体２０とヘッド支柱部１３との隣接部にマスカラ液を保持する液保持部２４を設けるようにした。
【００１７】
上記のように、塗布軸体２０とヘッド支柱部１３との隣接部に液保持部２４を設けると、充分な量のマスカラ液を液保持部２４に保持した状態のままで、塗布ヘッド３をマスカラ容器４から取出すことができる。また、塗布ヘッド３を取出した状態で塗布軸体２０を回転操作することにより、それまで液保持部２４に臨んでいたパイル２１を塗布面２５の側へ露出させて、パイル２１に保持されたマスカラ液をまつ毛に塗布できる。従って、本発明のマスカラ塗布具によれば、液保持部２４に保持された充分な量のマスカラ液を塗布体１６で的確にまつ毛に塗布できる。また、必要があれば、液保持部２４からマスカラ液がなくなるまで、マスカラ液の塗布を連続して行える。さらに、マスカラ液が塗布されたまつ毛をコーム体１７で速やかに梳き整えることができ、全体として、まつ毛の化粧をより少ない手間で行えるマスカラ塗布具を提供できる。
【００１８】
塗布体１６の塗布軸体２０をヘッド支柱部１３と平行に設けると、液保持部２４を塗布軸体２０の長手方向に沿って連続する状態で設けることができる。さらに、塗布軸体２０とヘッド支柱部１３との対向面の前後に液保持部２４が形成されるので、より多量のマスカラ液を液保持部２４に保持できる。従って、塗布ヘッド３をマスカラ容器４に繰返し出入れする手間を省いて、マスカラ液を塗布体１６で連続して塗布できる。
【００１９】
塗布体１６およびコーム体１７のそれぞれを、両ヘッド部１１・１２の対向面の外郭線内に配置すると、塗布ヘッド３をマスカラ容器４に出し入れする際に、塗布体１６あるいはコーム体１７がしごきリップ７のしごき口８に引っ掛かるのを防止できる。塗布ヘッド３をマスカラ容器４から取出す場合には、基端ヘッド部１１が、しごきリップ７のしごき口８を押拡げて弾性変形させた状態で、塗布ヘッド３を支障なく抜出せるからである。また、塗布ヘッド３をマスカラ容器４に差込み装填する場合には、先端ヘッド部１２がしごき口８を押拡げて弾性変形させた状態で、塗布ヘッド３を支障なく差込めるからである。従って、マスカラ液の塗布とまつ毛の梳き整えることを円滑に行って、まつ毛の化粧をより少ない手間で行えるマスカラ塗布具でありながら、マスカラ容器４に対する塗布具の出入れを簡便に行って使い勝手を向上できる。
【００２０】
ヘッド支柱部１３の両側に塗布区画１４とコーム区画１５を形成し、各区画１４・１５に配置した塗布体１６とコーム体１７とを、ヘッド支柱部１３を介して背中合わせ状に設けると、塗布体１６とコーム体１７を塗布ヘッド３の周囲の最も離れた位置に配置できる。そのため、塗布体１６を使用してマスカラ液を塗布する際に、コーム体１７が塗布作業の邪魔になるのを防止し、あるいは、コーム体１７を使用してまつ毛を梳き整える際に、塗布体１６が梳き整える作業の邪魔になるのを防止できる。
【００２１】
ブリッスルをコーム要素２７とするコーム体１７によれば、櫛歯状あるいはピン状のコーム要素２７で構成したコーム体１７に比べて、コーム要素２７を小さな力でしなやかに弾性変形させることができる。そのため、コーム体１７でまつ毛を梳き整える際に、過剰な力がまつ毛に加わるのを避けながら、まつ毛を自然な感じでカールできる。また、コーム要素２７を基端ヘッド部１１と先端ヘッド部１２の対向面の外郭線より外方へ突出させると、塗布ヘッド３をマスカラ容器４から取出す際に、コーム要素２７に付着しているマスカラ液をしごきリップ７で確実にしごき落とすことができる。従って、マスカラ液が除去された状態のコーム要素２７で、まつ毛を的確に梳き整えることができる。
【００２２】
丸軸状の塗布軸体２０の周面にパイル２１を密植して塗布体１６を構成すると、塗布軸体２０の周面におけるマスカラ液の付着量を周方向で均一にして、余分なマスカラ液がまつ毛に塗布されるのを防止して、適量のマスカラ液をまつ毛に塗布できる。また、塗布体１６と対向するヘッド支柱部１３の対向面に部分円弧状の液保持部２４を凹み形成すると、液保持部２４の容積に応じた量のマスカラ液を液保持部２４に保持させることができるので、塗布ヘッド３に保持されるマスカラ液の量を適量化できる。
【図面の簡単な説明】
【００２３】
【図１】マスカラ塗布具の塗布ヘッドを示す正面図である。
【図２】マスカラ塗布具とマスカラ容器の関係構造を示す一部破断正面図である。
【図３】図１におけるＡ−Ａ線断面図である。
【図４】マスカラ塗布具の使用状態を示す説明図である。
【図５】別の実施例に係るマスカラ塗布具の塗布ヘッドを示す正面図である。
【図６】図５におけるＢ−Ｂ線断面図である。
【図７】さらに別の実施例に係るマスカラ塗布具の塗布ヘッドを示す正面図である。
【図８】さらに別の実施例に係るマスカラ塗布具の塗布ヘッドを示す正面図である。
【図９】図８におけるＣ−Ｃ線断面図である。
【図１０】さらに別の実施例に係る塗布ヘッドの断面図である。
【図１１】さらに別の実施例に係る塗布ヘッドの断面図である。
【図１２】さらに別の実施例に係るマスカラ塗布具の塗布ヘッドを示す正面図である。
【図１３】図１２におけるＤ−Ｄ線断面図である。
【発明を実施するための形態】
【００２４】
（実施例）  図１ないし図４は、本発明に係るマスカラ塗布具の実施例を示す。なお、本発明における前後、左右、上下とは、図２および図３に示す交差矢印と、各矢印の近傍に表記した前後、左右、上下の表示に従う。マスカラ塗布具は、丸軸状の塗布軸１と、塗布軸１を支持する連結軸部２とを一体に備えたプラスチック成形品からなり、塗布軸１の下端（先端）に塗布ヘッド３が設けてある。
【００２５】
符号４はマスカラ液を収容するマスカラ容器であり、その口部５の外面にキャップ６がねじ込み装着され、口部５の内面に余分なマスカラ液をしごき落とすゴム製のしごきリップ（しごき体）７が固定してある。符号８はしごきリップ７の下端に開口されたしごき口である。塗布軸１の連結軸部２はキャップ６の内面に固定してあるので、キャップ６を緩めて口部５から取外すと、塗布ヘッド３をマスカラ容器４の外へ取出して、塗布ヘッド３に保持されたマスカラ液をまつ毛に塗布することができる。
【００２６】
塗布ヘッド３は、塗布軸１に連続する基端ヘッド部１１と、塗布ヘッド３の先端に設けられる先端ヘッド部１２と、両ヘッド部１１・１２を繋ぐヘッド支柱部１３とを一体に備えている。図１に示すように、塗布ヘッド３の中心軸Ｐ２は塗布軸１の中心軸Ｐ１に対して角度θだけ傾斜させてあり、この実施例における角度θは１０度とした。
【００２７】
図３に示すように、基端ヘッド部１１と先端ヘッド部１２の対向面は、それぞれ楕円状に形成してある。両ヘッド部１１・１２の対向面の中央同士を、断面が長方形状のヘッド支柱部１３で繋ぐことにより、ヘッド支柱部１３の左右に塗布区画１４とコーム区画１５とがコ字状に形成される。塗布区画１４には、マスカラ液を塗布する塗布体１６が配置され、コーム区画１５には、マスカラ液が塗布されたまつ毛を梳き整えるコーム体１７が設けられる。これにより、塗布体１６とコーム体１７はヘッド支柱部１３を介して背中合わせ状に配置される。
【００２８】
塗布体１６は、丸軸状に形成される塗布軸体２０と、塗布軸体２０の周面に静電植毛法で密植されるパイル２１と、塗布軸体２０の上下両端に突設される支軸２２とを備えている。上下両端の支軸２２を、基端ヘッド部１１と先端ヘッド部１２に凹み形成した軸受穴２３で支持することにより、塗布体１６の全体が塗布ヘッド３で回転自在に軸支してある。塗布ヘッド３に装着された塗布体１６はヘッド支柱部１３と平行になっており、図３に示すように、塗布軸体２０とヘッド支柱部１３との隣接部の前後に、Ｖ字状の液保持部２４が形成される。図３において符号２５は塗布軸体２０の塗布面であり、マスカラ液をまつ毛に対して塗布しやすい周面領域、即ち塗布軸体２０の周面のうち概ね左半部側の周面領域が塗布面２５となる。
【００２９】
コーム体１７は、ヘッド支柱部１３と一体に形成した一群のコーム要素２７を多段状に配置して構成する。コーム要素２７は櫛歯状に形成されて、塗布ヘッド３の中心軸Ｐ２に対して直交する向きに突設されており、その外形は花弁状に形成されて先端ヘッド部１２の外形に一致させてある。このように、コーム体１７は、基端ヘッド部１１と先端ヘッド部１２の対向面の外郭線内に配置してある。また、先の塗布体１６もコーム体１７と同様に、基端ヘッド部１１と先端ヘッド部１２の対向面の外郭線内に配置してある（図３参照）。
【００３０】
不使用状態におけるマスカラ塗布具は、図２に示すように、塗布軸１がマスカラ容器４の内部に収容されて、塗布ヘッド３とともにマスカラ液に浸漬されている。マスカラ液をまつ毛に塗布する場合には、キャップ６を緩めて塗布ヘッド３をマスカラ容器４の外へ取出すが、その過程で、塗布ヘッド３に保持されたマスカラ液のうち、余分なマスカラ液がしごきリップ７のしごき口８でしごき落とされる。とくに、塗布軸１の周面や、塗布ヘッド３の周面に付着していたマスカラ液の殆どは、しごき口８を通過する間にしごき落とされてしまう。塗布ヘッド３が通過するときのしごき口８は、塗布軸体２０の塗布面２５側の表面と、ヘッド支柱部１３の前後面と、コーム要素２７の周面に密着する状態で弾性変形する。そのため、コーム要素２７の隣接隙間に保持されたマスカラ液の大半と、塗布体１６の塗布面２５に保持されたマスカラ液の殆どが、しごき口８で掻落とされてしまう。
【００３１】
しかし、Ｖ字状の液保持部２４に保持されたマスカラ液は、しごき口８でしごき落とすことができないので、充分な量のマスカラ液を保持した状態の塗布ヘッド３を、しごきリップ７から抜出すことができる。この状態の塗布軸体２０の周面を例えば綿棒などの先端でつついて、強制的に回転操作することにより、液保持部２４に臨んでいたパイル２１を塗布面側２５に露出させることができる。さらに、図４に示すように、マスカラ液が保持されているパイル２１の表面を、上側のまつ毛にあてがって上向きに梳き流すことにより、塗布軸体２０の表面およびパイル２１に保持されたマスカラ液を的確にまつ毛に塗布できる。
【００３２】
液保持部２４は、塗布軸体２０の長手方向に沿って連続する状態で形成してあるので、充分な量のマスカラ液を保持することができ、パイル２１に保持されたマスカラ液をまつ毛に数回塗布した程度で消費されてしまうことはなく、繰返し塗布作業を行うことができる。なお、液保持部２４にマスカラ液が保持されている状態では、パイル２１および塗布軸体２０の表面にマスカラ液の回転抵抗が作用する。そのため、まつ毛を上向きに梳き流す際に塗布軸体２０が回転することはなく、従って、マスカラ液をユーザーの意図どおりにまつ毛に塗布することができる。
【００３３】
以後、目頭から目尻にわたるまつ毛の全体に、塗布軸体２０およびパイル２１でマスカラ液を塗布したのち、コーム体１７を使用してまつ毛を梳き流し、余分なマスカラ液を除去する。このとき、塗布体１６とコーム体１７とは、ヘッド支柱部１３を介して背中合わせ状に設けてあるので、コーム体１７を使用するときに塗布体１６が邪魔になることはなく、逆に塗布体１６を使用するときにコーム体１７が邪魔になることもない。なお、パイル２１でマスカラ液を塗布する作業と、余分なマスカラ液をコーム体１７で梳き取る作業とは、交互に行いながらまつげの全体を仕上げてもよい。
【００３４】
同様にして下側のまつげにマスカラ液を塗布体１６で塗布し、あるいはコーム体１７で余分なマスカラ液を梳き取って仕上げることができる。上まつ毛の目頭や目尻に位置する短いまつ毛、あるいは上まつ毛に比べて短い下まつ毛に対するマスカラ液の塗布は、コーム要素２７の隣接隙間に保持されているマスカラ液を利用して塗布することができる。
【００３５】
先に説明したように、塗布体１６とコーム体１７は、それぞれ基端ヘッド部１１と先端ヘッド部１２の対向面の外郭線内に配置してある。そのため、塗布ヘッド３をマスカラ容器４に対して出し入れするとき、塗布ヘッド３がしごきリップ７のしごき口８に引っ掛かることはなく、マスカラ塗布具のマスカラ容器４への出入れを円滑に行うことができる。塗布ヘッド３をマスカラ容器４から取出す場合には、塗布軸１に連続する基端ヘッド部１１が、しごき口８を押拡げて弾性変形させた状態で、塗布ヘッド３を支障なく抜出せるからである。また、塗布ヘッド３をマスカラ容器４に差込み装填する場合には、先端ヘッド部１２がしごき口８を押拡げて弾性変形させた状態で、塗布ヘッド３を支障なく差込めるからである。
【００３６】
図５および図６は、マスカラ塗布具の別の実施例を示す。そこでは、コーム体１７をコーム区画１５に沿って配置した３個のコーム要素２７の直線列で構成した。各コーム要素２７はピン状に形成してあり、コーム要素２７の直線列は、コーム区画１５の前後２個所と前後中央との合計３個所に形成した。また、前後中央の直線列を構成するコーム要素２７のヘッド支柱部１３からの突出長さを、前後の直線列を構成するコーム要素２７のヘッド支柱部１３からの突出長さより充分に大きく設定した。この場合のコーム体１７は、先に説明したコーム体１７と同様に、基端ヘッド部１１と先端ヘッド部１２の対向面の外郭線内に配置してある。他は先の実施例と同じであるので、同じ部材に同じ符号を付して、その説明を省略する。以下の実施例も同じとする。以上のように、各コーム要素２７はピン状に形成することができる。また、コーム要素２７の直線列は、ピン状のコーム要素２７は各直線列ごとに互い違い状に配置してあってもよい。
【００３７】
図７はマスカラ塗布具のさらに別の実施例を示す。そこでは、コーム体１７を、図５および図６で説明したコーム体１７と同様に、ピン状のコーム要素２７の直線列で構成した。さらに、先端ヘッド部１２の端部に補助コーム体３０を形成して、下まつ毛や、目頭あるいは目尻のまつ毛などの短いまつ毛を補助コーム体３０で梳き流せるようにした。補助コーム体３０は、櫛歯状あるいはピン状のコーム要素３１を、先端ヘッド部１２から一定間隔おきに下向きに突設して構成した。
【００３８】
図８および図９はマスカラ塗布具のさらに別の実施例を示す。そこでは、基端ヘッド部１１と先端ヘッド部１２との左右両端を２個のヘッド支柱部１３で繋いで、両ヘッド支柱部１３の対向面の間に塗布区画１４を形成し、その内部に塗布体１６を収容した。また、図７で説明した補助コーム体３０と同様に、コーム体１７を先端ヘッド部１２の下面側に形成して、全てのまつ毛をコーム体１７で梳き流せるようにした。この実施例の場合には、塗布体１６と左右のヘッド支柱部１３との間の、合計４個所に液保持部２４が形成されるので、より多量のマスカラ液を塗布ヘッド３に保持することができる。また、塗布体１６の周面の前後部分は、基端ヘッド部１１と先端ヘッド部１２の対向面の外郭線の外に突出している。
【００３９】
図１０はマスカラ塗布具のさらに別の実施例を示す。そこでは、ヘッド支柱部１３の塗布体１６との対向面に、液保持部２４を部分円弧状に凹み形成した。このように、液保持部２４を部分円弧状に形成すると、図３で説明した塗布ヘッド３に比べて、液保持部２４に保持されるマスカラ液の量を少なめに調整できるので、マスカラ液がまつ毛に過剰に塗布されるのを防止できる。また、液保持部２４に保持されたマスカラ液と塗布軸体２０との接触面積が大きくなる分だけ、マスカラ液による回転抵抗が大きくなるので、塗布軸体２０が外力を受けて不用意に回転するのをよく防止できる。
【００４０】
図１１はマスカラ塗布具のさらに別の実施例を示す。そこでは、塗布軸体２０を断面六角形状に形成し、さらに各頂部に面取部３５を形成して、パイル２１を静電植毛法で固定した。マスカラ液を塗布する際には、面取部３５に固定されたパイル２１を塗布区画１４の外側方の前後中心に位置させた状態で塗布することにより、面取部３５に隣接する平坦周面に邪魔されることもなくマスカラ液を塗布できる。塗布軸体２０の断面形状は、三角形、四角形、五角形など多角形状に形成してあってもよい。
【００４１】
図１２および図１３はマスカラ塗布具のさらに別の実施例を示す。そこでは、一群のブリッスルをコーム要素２７にして、これを一方向へ捻られた芯線３８で螺旋状に固定してコーム体１７を構成した。芯線３８の上下両端は、塗布体１６と同様に、基端ヘッド部１１と先端ヘッド部１２とで回転自在に支持してある。この実施例におけるコーム体１７は、大半のコーム要素２７の中途部から先端側が、コーム区画１５の前後面および外側面の側において、基端ヘッド部１１と先端ヘッド部１２の対向面の外郭線より外方へ突出する。そのため、塗布ヘッド３に付着したマスカラ液をしごきリップ７でしごき落とした状態では、コーム要素２７に付着していたマスカラ液も大半がしごき落とされており、従って、コーム要素２７でまつ毛を梳き流して余分なマスカラ液を除去できる。
【００４２】
上記の実施例以外に、塗布体１６とコーム体１７とはヘッド支柱部１３を介して背中合わせ状に設ける必要はない。例えば、ヘッド支柱部１３の周囲の１個所に塗布体１６を配置し、塗布体１６の配置位置から周方向へ１２０度ずつずれたヘッド支柱部１３の周囲の２個所に、コーム体１７を配置することができる。塗布ヘッド３の中心軸Ｐ２は塗布軸１の中心軸Ｐ１に対して傾斜させる必要はなく、塗布軸１の中心軸Ｐ１の延長上に塗布ヘッド３の中心軸Ｐ２が設けてあってもよい。
【００４３】
図１において、ヘッド支柱部１３の塗布体１６との対向面を連続波形や鋸刃形に形成して、液保持部２４に保持されるマスカラ液の量を増加することができる。また、図１０および図１１においては、ヘッド支柱部１３の塗布体１６との対向面を部分円弧状に凹ませて液保持部２４としたがその必要はない。例えば、ヘッド支柱部１３の塗布体１６との対向面をＶ字状、Ｗ字状、あるいは台形状などに凹ませて、液保持部２４の容積を大小に調整して、塗布ヘッド３に保持されるマスカラ液の量を調整することができる。
【符号の説明】
【００４４】
１  塗布軸
３  塗布ヘッド
１１  基端ヘッド部
１２  先端ヘッド部
１３  ヘッド支柱部
１４  塗布区画
１５  コーム区画
１６  塗布体
１７  コーム体
２０  塗布軸体
２１  パイル
２４  液保持部
２５  塗布面
２７  コーム要素
【図１】
2015009016.tif 000003
【図２】
2015009016.tif 000004
【図３】
2015009016.tif 000005
【図４】
2015009016.tif 000006
【図５】
2015009016.tif 000007
【図６】
2015009016.tif 000008
【図７】
2015009016.tif 000009
【図８】
2015009016.tif 000010
【図９】
2015009016.tif 000011
【図１０】
2015009016.tif 000012
【図１１】
2015009016.tif 000013
【図１２】
2015009016.tif 000014
【図１３】
2015009016.tif 000015